(57)【要約】【課題】斜面を覆うシート素材に破損が生じないようにし、斜面の外観も良好にする。【解決手段】斜面１上に、透水性を有する土木シート２を張設する。この土木シート２上に金網材３を敷設し、金網材３に通した補強線４を縦横は配設する。地上に植生した蔓性植物９を、金網材３に沿わして生育させる。土木シート２によって斜面１を覆い、外観を良好にする。土木シート２は破損が生じ難く、斜面１から透過した水分によって植物が生育する。【選択図】図１
0003132875.tif 000002
【実用新案登録請求の範囲】
【請求項１】
擁壁面上に透水性を有する土木シートを張設し、
この土木シートを覆うように金網材を敷設して固定し、
この金網材に添わして、植物を生育させたこと、
を特徴とした斜面の緑化構造。
【請求項２】
金網材には、縦横に張設した補強線を通し、
この補強線と一緒に、金網材を固定したこと、
を特徴とする請求項１記載の斜面の緑化構造。
【請求項３】
植物は蔓性植物であること、
を特徴とする請求項１又は２記載の斜面の緑化構造。
【請求項４】
土木シートの色として、緑系統色を採用したこと、
を特徴とする請求項１、２又は３記載の斜面の緑化構造。
【考案の詳細な説明】
【技術分野】
【０００１】
本考案は擁壁面や法面などの、斜面の緑化構造に関するものである。
【背景技術】
【０００２】
擁壁面の緑化を行う手段として、特開平１１−８９４２０号公報に記載された考案などが開発されている。
同公報に記載されている手段は、斜面上にヤシ殻繊維や不織布などを成形したシートを斜面に敷き、その上に金網材を敷設して、固定するものであった。
【０００３】
このようなヤシ殻繊維などの素材であると、シートそのものが腐食したり、断裂し易く、メンテナンスの上で問題があった。
繊維状のシートであると、斜面に根づく雑草が、この繊維状シートの繊維の間から表面に出て、斜面の外観を良くないものにすることがあった。
【０００４】
また、既存の擁壁面などの上を緑化する場合において、劣化した既存の擁壁面をすっかり覆って、新設の擁壁のようにする場合があり、このような現場の施工としては、前記したようなヤシ殻繊維などのシートは好ましくなかった。
【０００５】
【特許文献１】特開平１１−８９４２０号公報
【考案の開示】
【考案が解決しようとする課題】
【０００６】
本考案が解決しようとする課題は、斜面上に敷設するシートに破損が生じることであり、また、既存の擁壁面の外観を良好にできなかったことである。
【課題を解決するための手段】
【０００７】
本考案にかかる斜面の緑化構造は、
擁壁面上に土木シートを張設し、
この土木シートを覆うように金網材を敷設して固定し、
この金網材に添わして、植物を生育させるものである。
また、本考案にかかる他の斜面の緑化構造は、
金網材には、縦横に張設した補強線を通し、
この補強線と一緒に、金網材を固定するものである。
更に、本考案にかかる他の斜面の緑化構造は、
植物として、蔓性植物を採用するものである。
更に、本考案にかかる他の斜面の緑化構造は、
土木シートの色として、緑系統色を採用するものである。
【考案の効果】
【０００８】
本考案は、以上のような構成を有し、以下の効果を得ることができる。
＜ａ＞斜面を土木シートで覆うため、シートの腐食や破損などが生じ難く、メンテナンスが容易である。
＜ｂ＞透水性の土木シートを使用するため、斜面に張った植物が水分を吸収可能となり、植物の生育が良好となる。
＜ｃ＞斜面全体を土木シートで覆うことにより、古い擁壁などを覆うこととなり、斜面全体の景観が良好となる。
＜ｄ＞土木シートによって、生育させた蔓植物の根が擁壁のクラックに侵入することや、斜面の雑草などが表面に出てくるのを防ぐことが可能である。
＜ｅ＞緑色の系統色のシートを使用することにより、斜面の景観を更に良好にすることが可能となる。
【考案を実施するための最良の形態】
【０００９】
＜１＞土木シート
本考案にかかる斜面の緑化構造は、斜面上に土木シートを張設し、この土木シートによって、斜面を覆い、その上に金網材を固定することにより、シートの破損を少なくし、更に斜面の外観も良好にするものである。
この土木シート２は、透水性を備えているが、土の粒子は通さない性質を有している。
【００１０】
＜２＞土木シートの張設
図１及び図２において、１は、既存の石積みの斜面であり、その斜面１の上に土木シート２を張設してある。
土木シート２は、広く土木の分野で使用されているシートであって、ポリエチレンなどの合成樹脂製材料によって形成されている。
この土木シート２は、その表面の色としては、緑系統の色彩が好適である。
斜面１全体を土木シート２によって覆うことにより、既存の擁壁等をすっかり覆うことにより、斜面１の外観が良好となる。
緑系統のシート２を使用することにより、斜面の景観はより良好になる。
【００１１】
＜３＞金網材
この土木シート２の上に、ひし形金網などの金網材３を敷設する。
この金網材３の網目を通して、斜面の上下（縦）、及び水平方向（横）に金属線である補強線４を張る。
縦横の補強線４は、斜面１の上にて交差するが、その交差部分を斜面に固定する。
【００１２】
＜４＞取付金具
図３及び図４に示すのは、補強線４を固定するための取付金具５であって、中心にアンカー孔６を有し、上下左右端部に爪７を備えている。
この取付金具５の爪７を、縦横の補強線４に引掛けて、アンカー孔６に通したアンカー８を、斜面１である既存擁壁に打ち込み、固定する。
補強線４は、金網材３に通してあり、補強線４の固定と同時に、金網材３が固定される。
【００１３】
＜５＞植生
斜面１の下部の地上に、植物を植生する。
植生する植物は、蔦のような蔓性植物９である。
蔓性植物９は、金網材３にその蔓を絡めて、斜面１に沿って登るように生育し、やがて斜面１全体を覆うことになる。
土木シート２は透水性を有しており、斜面１からの水分が土木シート２を抜け、その水分を吸水して、植物の生育が良好となる。
しかしながら、土木シート２によって植物９が斜面１側へ根を伸ばすのが阻止され、クラックなどに侵入するのが防止される。
【図面の簡単な説明】
【００１４】
【図１】この考案の斜面の緑化構造を実施例を示す斜視図である。
【図２】図１に示す斜面の緑化構造の断面図である。
【図３】補強線を取付ける状態の斜視図である。
【図４】補強線の固定状態の正面図である。
【符号の説明】
【００１５】
１：斜面
２：土木シート
３：金網材
４：補強シート
５：取付金具
６：アンカー孔
７：爪
８：アンカー
９：蔓植物
【図１】
0003132875.tif 000003
【図２】
0003132875.tif 000004
【図３】
0003132875.tif 000005
【図４】
0003132875.tif 000006
【手続補正書】
【提出日】平成19年5月2日(2007.5.2)
【手続補正１】
【補正対象書類名】実用新案登録請求の範囲
【補正対象項目名】全文
【補正方法】変更
【補正の内容】
【実用新案登録請求の範囲】
【請求項１】
斜面上に透水性を有する土木シートを張設し、
この土木シートを覆うように金網材を敷設して固定し、
この金網材に添わして、植物を生育させたこと、
を特徴とした斜面の緑化構造。
【請求項２】
金網材には、縦横に張設した補強線を通し、
この補強線と一緒に、金網材を固定したこと、
を特徴とする請求項１記載の斜面の緑化構造。
【請求項３】
植物は蔓性植物であること、
を特徴とする請求項１又は２記載の斜面の緑化構造。
【請求項４】
土木シートの色として、緑系統色を採用したこと、
を特徴とする請求項１、２又は３記載の斜面の緑化構造。
【手続補正２】
【補正対象書類名】明細書
【補正対象項目名】全文
【補正方法】変更
【補正の内容】
【考案の詳細な説明】
【技術分野】
【０００１】
本考案は擁壁面や法面などの、斜面の緑化構造に関するものである。
【背景技術】
【０００２】
斜面の緑化を行う手段として、特開平１１−８９４２０号公報に記載された考案などが開発されている。
同公報に記載されている手段は、斜面上にヤシ殻繊維や不織布などを成形したシートを斜面に敷き、その上に金網材を敷設して、固定するものであった。
【０００３】
このようなヤシ殻繊維などの素材であると、シートそのものが腐食したり、断裂し易く、メンテナンスの上で問題があった。
繊維状のシートであると、斜面に根づく雑草が、この繊維状シートの繊維の間から表面に出て、斜面の外観を良くないものにすることがあった。
【０００４】
また、既存の擁壁面などの上を緑化する場合において、劣化した既存の擁壁面をすっかり覆って、新設の擁壁のようにする場合があり、このような現場の施工としては、前記したようなヤシ殻繊維などのシートは好ましくなかった。
【０００５】
【特許文献１】特開平１１−８９４２０号公報
【考案の開示】
【考案が解決しようとする課題】
【０００６】
本考案が解決しようとする課題は、斜面上に敷設するシートに破損が生じることであり、また、既存の斜面の外観を良好にできなかったことである。
【課題を解決するための手段】
【０００７】
本考案にかかる斜面の緑化構造は、
斜面上に土木シートを張設し、
この土木シートを覆うように金網材を敷設して固定し、
この金網材に添わして、植物を生育させるものである。
また、本考案にかかる他の斜面の緑化構造は、
金網材には、縦横に張設した補強線を通し、
この補強線と一緒に、金網材を固定するものである。
更に、本考案にかかる他の斜面の緑化構造は、
植物として、蔓性植物を採用するものである。
更に、本考案にかかる他の斜面の緑化構造は、
土木シートの色として、緑系統色を採用するものである。
【考案の効果】
【０００８】
本考案は、以上のような構成を有し、以下の効果を得ることができる。
＜ａ＞斜面を土木シートで覆うため、シートの腐食や破損などが生じ難く、メンテナンスが容易である。
＜ｂ＞透水性の土木シートを使用するため、斜面に張った植物が水分を吸収可能となり、植物の生育が良好となる。
＜ｃ＞斜面全体を土木シートで覆うことにより、古い擁壁などを覆うこととなり、斜面全体の景観が良好となる。
＜ｄ＞土木シートによって、生育させた蔓植物の根が擁壁のクラックに侵入することや、斜面の雑草などが表面に出てくるのを防ぐことが可能である。
＜ｅ＞緑色の系統色のシートを使用することにより、斜面の景観を更に良好にすることが可能となる。
【考案を実施するための最良の形態】
【０００９】
＜１＞土木シート
本考案にかかる斜面の緑化構造は、斜面上に土木シートを張設し、この土木シートによって、斜面を覆い、その上に金網材を固定することにより、シートの破損を少なくし、更に斜面の外観も良好にするものである。
この土木シート２は、透水性を備えているが、土の粒子は通さない性質を有している。
【００１０】
＜２＞土木シートの張設
図１及び図２において、１は、既存の石積みの斜面であり、その斜面１の上に土木シート２を張設してある。
土木シート２は、広く土木の分野で使用されているシートであって、ポリエチレンなどの合成樹脂製材料によって形成されている。
この土木シート２は、その表面の色としては、緑系統の色彩が好適である。
斜面１全体を土木シート２によって覆うことにより、既存の擁壁等をすっかり覆うことにより、斜面１の外観が良好となる。
緑系統のシート２を使用することにより、斜面の景観はより良好になる。
【００１１】
＜３＞金網材
この土木シート２の上に、ひし形金網などの金網材３を敷設する。
この金網材３の網目を通して、斜面の上下（縦）、及び水平方向（横）に金属線である補強線４を張る。
縦横の補強線４は、斜面１の上にて交差するが、その交差部分を斜面に固定する。
【００１２】
＜４＞取付金具
図３及び図４に示すのは、補強線４を固定するための取付金具５であって、中心にアンカー孔６を有し、上下左右端部に爪７を備えている。
この取付金具５の爪７を、縦横の補強線４に引掛けて、アンカー孔６に通したアンカー８を、斜面１である既存擁壁に打ち込み、固定する。
補強線４は、金網材３に通してあり、補強線４の固定と同時に、金網材３が固定される。
【００１３】
＜５＞植生
斜面１の下部の地上に、植物を植生する。
植生する植物は、蔦のような蔓性植物９である。
蔓性植物９は、金網材３にその蔓を絡めて、斜面１に沿って登るように生育し、やがて斜面１全体を覆うことになる。
土木シート２は透水性を有しており、斜面１からの水分が土木シート２を抜け、その水分を吸水して、植物の生育が良好となる。
しかしながら、土木シート２によって植物９が斜面１側へ根を伸ばすのが阻止され、クラックなどに侵入するのが防止される。
【図面の簡単な説明】
【００１４】
【図１】この考案の斜面の緑化構造を実施例を示す斜視図である。
【図２】図１に示す斜面の緑化構造の断面図である。
【図３】補強線を取付ける状態の斜視図である。
【図４】補強線の固定状態の正面図である。
【符号の説明】
【００１５】
１：斜面
２：土木シート
３：金網材
４：補強シート
５：取付金具
６：アンカー孔
７：爪
８：アンカー
９：蔓植物